(57)【要約】      （修正有）【課題】かさばるゴミの量を圧縮し、圧縮されたゴミを直接手で触らず取り出すことが出来る、螺子圧縮ゴミ箱を提供する。【解決手段】容器本体９の内側に螺子溝８を設け、上蓋３と底蓋１０をそれぞれ容器本体９の上下に配置した、螺子圧縮ゴミ箱において、上蓋３に付属するゴミ投入口より、容器本体９の中にゴミを入れ、容器本体９がゴミで満たされたら、ゴミ投入口開閉蓋５を閉じて、上蓋回転用持ち手１を握り圧縮方向に上蓋３を回転した後、上蓋３を逆回転して元の位置に戻すことにより新たなゴミ投入スペースが確保出来、圧縮ゴミで容器本体９が一杯になったら、螺子圧縮ゴミ箱を平らな所で滑り止め緩衝材７が下になるように横にして底蓋１０を外し、ゴミ袋の中に容器本体９の下部を入れ、上蓋回転用持ち手１を握り圧縮方向に上蓋３を回転すれば、容器本体９内の圧縮ゴミを手で触ることなくゴミ袋の中へ排出することが出来る。【選択図】図１
2018197164.tif 000002
【特許請求の範囲】
【請求項１】
ゴミを溜める容器内側に螺子を設けたことを特徴とする螺子圧縮ゴミ箱。
【請求項２】
ゴミを溜める容器上下にそれぞれ脱着出来る蓋を設けたことを特徴とする螺子圧縮ゴミ箱。
【請求項３】
直接触らずに圧縮ゴミを排出することが出来ることを特徴とする螺子圧縮ゴミ箱。
【発明の詳細な説明】
【技術分野】
【０００１】  本発明は、螺子を利用しゴミ容量を圧縮して排出することを目的とする、螺子圧縮ゴミ箱に関する。
【背景技術】
【０００２】  従来から、ゴミ箱に圧縮機能を付けた圧縮ゴミ箱は考えられている。【０００３】  しかしながら、従来の圧縮ゴミ箱は構造が複雑であり、圧縮されたゴミを容器から取り出しにくいという欠点もあった。
【先行技術文献】
【特許文献】
【０００４】
【特許文献１】特開２００６−１９９４９２
【特許文献２】特開２０００−２７２７０２
【発明の概要】
【発明が解決しようとする課題】
【０００５】  本発明は、以上のような従来の欠点に鑑み、構造を単純にして圧縮したゴミを直接触らず取り出すことが出来る、螺子圧縮ゴミ箱を提供することを目的としている。
【課題を解決するための手段】
【０００６】  本発明は、筒状の容器の内側に螺子を設けて上蓋を容器の螺子にそって回転させて中のゴミを圧縮することを特徴とする。【０００７】  さらに本発明は、上記の圧縮を複数回繰り返すことにより圧縮ゴミで容器が一杯になったところで、螺子圧縮ゴミ箱を平らな所で横にして容器下部をゴミ袋の中に入れ底蓋を螺子に沿って回転して外し、その後上蓋を圧縮方向に回転させれば容器の中の圧縮ごみを手で直接触ることなく取り出すことが出来ることを特徴とする。
【発明の効果】
【０００８】  本発明の螺子圧縮ゴミ箱は、主に容器本体、上蓋、上蓋に付属するゴミ投入口開閉蓋、底蓋の４点からなり構造は単純である。【０００９】  使用方法は容器本体の上下にそれぞれ上蓋、底蓋を配して、ゴミ投入口開閉蓋を開きそこから紙屑、包装材屑、食品ラップ屑、アルミホイル屑、キッチンペーパー屑といったゴミを投入する。
ゴミが容器一杯になってきたら、上蓋に付属するゴミ投入口開閉蓋を閉めて上蓋を圧縮方向に回転すれば中のゴミは圧縮される。その後上蓋を逆方向に回転して、容器本体の上部にその位置を戻す。その結果上蓋の下に新たなゴミ投入空間が生まれる。
この方法を複数回繰り返すことにより容器本体の中は圧縮ゴミで満たされる。【００１０】  圧縮ゴミの取り出し方法は、容器本体を平らな所で横にして螺子圧縮ゴミ箱の底蓋を外し、ゴミ袋の中に容器本体の下部を入れ、容器本体を片手で押え別の手で上蓋の取手を握り圧縮方向に上蓋を回転させれば、容器本体内の圧縮ゴミを手で触ることなくゴミ袋の中へ排出すことが出来る。
【図面の簡単な説明】
【００１１】
【図１】  螺子圧縮ゴミ箱の縦断面図である。
【図２】  螺子圧縮ゴミ箱のゴミ投入口蓋を閉めた状態の上面図である。
【図３】  螺子圧縮ゴミ箱のゴミ投入口蓋を開閉途中状態にした上面図である。
【図４】  螺子圧縮ゴミ箱のゴミ投入口蓋を全開状態にした上面図である。
【図５】  螺子圧縮ゴミ箱の底の見上げ図である。
【図６】  螺子圧縮ゴミ箱の外観図である。
【図７】  螺子圧縮ゴミ箱内ゴミの圧縮状況図である。
【図８】  螺子圧縮ゴミ箱内から圧縮ゴミの排出状況図である。
【発明を実施するための形態】
【００１２】  以下、本発明の実施の形態を図面を用いて説明する。
【実施例１】
【００１３】  図１は、筒状の容器の内側に螺子を設けたことを特徴とする螺子圧縮ゴミ箱の縦断面図である。同図に示す容器の中へゴミを投入し、上蓋を同図内側の螺子溝に沿って回転してゴミを圧縮する。【００１４】  図２は、螺子圧縮ゴミ箱の上蓋に付属するゴミ投入口開閉蓋を閉じた状態の上面図である。【００１５】  図３は、螺子圧縮ゴミ箱の上蓋に付属するゴミ投入口開閉蓋の開閉途中状態の上面図である。【００１６】  図４は、螺子圧縮ゴミ箱の上蓋に付属するゴミ投入口開閉蓋を全開状態にした上面図である。【００１７】  図５は、螺子により脱着できる底板を取付けた状態の螺子圧縮ゴミ箱の底を、下から見た見上げ図である。【００１８】  図６は、螺子圧縮ゴミ箱の外観図である。【００１９】  図７は、螺子圧縮ゴミ箱の中のゴミを圧縮している状況図である。【００２０】  図８は、螺子圧縮ゴミ箱内から圧縮ゴミを排出している状況図である。
【産業上の利用可能性】
【００２１】  本発明に係る螺子圧縮ゴミ箱は、工業的に量産することが可能であるため、産業上の利用可能性を有する。
【符号の説明】
【００２２】  １    上蓋回転用持ち手
２    ゴミ投入口開閉蓋つまみ
３    上蓋
４    上蓋回転軸
５    ゴミ投入口開閉蓋
６    ゴミ投入口
７    螺子圧縮ゴミ箱横使用時滑り止め緩衝材
８    螺子溝
９    容器本体
１０  底蓋
１１  底蓋持ち手
１２  螺子圧縮ゴミ箱縦使用時滑り止め緩衝材
１３  平らな面
１４  圧縮ゴミ
１５  ゴミ袋
【図１】
2018197164.tif 000003
【図２】
2018197164.tif 000004
【図３】
2018197164.tif 000005
【図４】
2018197164.tif 000006
【図５】
2018197164.tif 000007
【図６】
2018197164.tif 000008
【図７】
2018197164.tif 000009
【図８】
2018197164.tif 000010
【手続補正書】
【提出日】平成29年8月1日(2017.8.1)
【手続補正１】
【補正対象書類名】明細書
【補正対象項目名】全文
【補正方法】変更
【補正の内容】
【発明の詳細な説明】
【技術分野】
【０００１】  本発明は、螺子を利用しゴミ容量を圧縮して排出することを目的とする、螺子圧縮ゴミ箱に関する。
【背景技術】
【０００２】  従来から、ゴミ箱に圧縮機能を付けた圧縮ゴミ箱は考えられている。【０００３】  しかしながら、従来の圧縮ゴミ箱は構造が複雑であり、圧縮されたゴミをゴミ箱から取り出しにくいという欠点もあった。
【先行技術文献】
【特許文献】
【０００４】
【特許文献１】特開２００６−１９９４９２
【特許文献２】特開２０００−２７２７０２
【発明の概要】
【発明が解決しようとする課題】
【０００５】  本発明は、以上のような従来の欠点に鑑み、構造を単純にして圧縮したゴミを直接触らず取り出すことが出来る、螺子圧縮ゴミ箱を提供することを目的としている。
【課題を解決するための手段】
【０００６】  本発明は、筒状の容器の内側に螺子を設けて上蓋を容器の螺子にそって回転させて中のゴミを圧縮することを特徴とする。【０００７】  さらに本発明は、上記の圧縮を複数回繰り返すことにより圧縮ゴミで容器が満杯になったところで、螺子圧縮ゴミ箱を平らな所で横にして容器下部をゴミ袋の中に入れ底蓋を外し、その後上蓋を圧縮方向に回転させれば容器の中の圧縮ゴミを手で直接触ることなく取り出すことが出来ることを特徴とする。
【発明の効果】
【０００８】  本発明は、ゴミの量を圧縮することで少なくし、それによりゴミ処分費も節約出来る。
ゴミ箱内の圧縮ゴミによりゴミ箱の内側に圧力がかかることになり圧縮ゴミが取り出しにくくなるが、本発明では上蓋を回転することで圧縮ゴミに触ることなく容器本体外に押し出すことが出来る。【０００９】  使用方法は容器本体の上下にそれぞれ上蓋、底蓋を配しゴミ投入口開閉蓋を開きそこから紙屑、包装材屑、食品ラップ屑、アルミホイル屑、キッチンペーパー屑といったゴミを投入する。
ゴミが容器一杯になってきたら、上蓋に付属するゴミ投入口開閉蓋を閉めて上蓋を圧縮方向に回転すれば中のゴミは圧縮される。
その後上蓋を逆方向に回転して、容器本体の上部にその位置を戻す。
その結果上蓋の下に新たなゴミ投入空間が生まれる。
この方法を複数回繰り返すことにより容器本体の中は圧縮ゴミで満たされる。【００１０】  圧縮ゴミの取り出し方法は、容器本体を平らな所で横にして螺子圧縮ゴミ箱の底蓋を外し、ゴミ袋の中に容器本体の下部を入れ容器本体を片手で押え別のの手で上蓋の持ち手を握り圧縮方向に上蓋を回転させれば、容器本体内の圧縮ゴミを手で触ることなくゴミ袋の中へ排出すことが出来る。
【図面の簡単な説明】
【００１１】
【図１】  螺子圧縮ゴミ箱の縦断面図である。
【図２】  螺子圧縮ゴミ箱のゴミ投入口蓋を閉めた状態の上面図である。
【図３】  螺子圧縮ゴミ箱のゴミ投入口蓋を開閉途中状態にした上面図である。
【図４】  螺子圧縮ゴミ箱のゴミ投入口蓋を全開状態にした上面図である。
【図５】  螺子圧縮ゴミ箱の底の見上げ図である。
【図６】  螺子圧縮ゴミ箱の外観図である。
【図７】  螺子圧縮ゴミ箱内ゴミの圧縮状況図である。
【図８】  螺子圧縮ゴミ箱内から圧縮ゴミの排出状況図である。
【発明を実施するための形態】
【００１２】  以下、本発明の実施の形態を図面を用いて説明する。
【実施例１】
【００１３】  図１は、筒状の容器の内側に螺子を設けたことを特徴とする螺子圧縮ゴミ箱の縦断面図である。【００１４】  図２は、螺子圧縮ゴミ箱の上蓋に付属するゴミ投入口開閉蓋を閉じた状態の上面図である。【００１５】  図３は、螺子圧縮ゴミ箱の上蓋に付属するゴミ投入口開閉蓋の開閉途中状態の上面図である。【００１６】  図４は、螺子圧縮ゴミ箱の上蓋に付属するゴミ投入口開閉蓋を全開状態にした上面図である。【００１７】  図５は、螺子により脱着できる底蓋を取付けた状態の螺子圧縮ゴミ箱の底を、下から見た見上げ図である。【００１８】  図６は、螺子圧縮ゴミ箱の外観図である。【００１９】  図７は、螺子圧縮ゴミ箱の中のゴミを圧縮している状況図である。【００２０】  図８は、螺子圧縮ゴミ箱内から圧縮ゴミを排出している状況図である。
【産業上の利用可能性】
【００２１】  本発明に係る螺子圧縮ゴミ箱は、工業的に量産することが可能であるため、産業上の利用可能性を有する。
【符号の説明】
【００２２】  １  上蓋回転用持ち手
２  ゴミ投入口開閉蓋つまみ
３  上蓋
４  上蓋回転軸
５  ゴミ投入口開閉蓋
６  ゴミ投入口
７  横使用時滑り止め緩衝材
８  螺子
９  容器本体
１０  底蓋
１１  底蓋持ち手
１２  縦使用時滑り止め緩衝材
１３  ラッチ（カンヌキ）
１４  ゴミ圧縮用ブレード板
１５  圧縮ゴミ
１６  ゴミ袋
【手続補正３】
【補正対象書類名】図面
【補正対象項目名】全図
【補正方法】変更
【補正の内容】
【図１】
2018197164.tif 000011
【図２】
2018197164.tif 000012
【図３】
2018197164.tif 000013
【図４】
2018197164.tif 000014
【図５】
2018197164.tif 000015
【図６】
2018197164.tif 000016
【図７】
2018197164.tif 000017
【図８】
2018197164.tif 000018